(57)【特許請求の範囲】
【請求項１】
デバイスキャリア、デバイスコアユニット、第１ＵＳＢインターフェース、第２ＵＳＢインターフェース、及び信号経路選択ユニットを具備したウェアラブルデバイスであって、
前記デバイスキャリアは、前記デバイスがウェアラブルとなるように、前記デバイスコアユニット、前記第１ＵＳＢインターフェース、前記第２ＵＳＢインターフェース、及び前記ウェアラブルデバイスの信号経路選択ユニットを運ぶように構成され、
前記デバイスコアユニットは、前記ウェアラブルデバイスのコア機能を実施するように構成され、
前記第１ＵＳＢインターフェース及び前記第２ＵＳＢインターフェースは、外部デバイスに接続するように構成され、
前記信号経路選択ユニットは、接続される、前記第１ＵＳＢインターフェースと前記デバイスコアユニットとの間の信号経路、又は前記第１ＵＳＢインターフェースと前記第２ＵＳＢインターフェースとの間の信号経路を制御するように構成されており、
前記信号経路選択ユニットは、具体的には、前記デバイスコアユニットが前記デバイスキャリアから分離されていない場合に接続される、前記第１ＵＳＢインターフェースと前記デバイスコアユニットとの間の前記信号経路を制御し、前記デバイスコアユニットが前記デバイスキャリアから分離されている場合に接続される、前記第１ＵＳＢインターフェースと前記第２ＵＳＢインターフェースとの間の前記信号経路を制御するように構成されている
ことを特徴とするウェアラブルデバイス。
【請求項２】
前記デバイスコアユニットは、ゲーティング制御信号を前記信号経路選択ユニットに出力するようにさらに構成されており、
前記信号経路選択ユニットは、前記デバイスコアユニットにより出力された前記ゲーティング制御信号に従って接続される、前記第１ＵＳＢインターフェースと前記デバイスコアユニットとの間の前記信号経路、又は前記第１ＵＳＢインターフェースと前記第２ＵＳＢインターフェースとの間の前記信号経路を制御するように構成されている
ことを特徴とする請求項１に記載のウェアラブルデバイス。
【請求項３】
前記デバイスコアユニットは、前記デバイスコアユニットが前記デバイスキャリアから分離されていない場合には、インポジション指示信号を前記信号経路選択ユニットに出力するようにさらに構成され、
前記信号経路選択ユニットは、具体的には、前記インポジション指示信号を受信したときに接続される前記第１ＵＳＢインターフェースと前記デバイスコアユニットとの間の前記信号経路を制御し、前記インポジション指示信号の受信に失敗したときに接続される前記第１ＵＳＢインターフェースと前記第２ＵＳＢインターフェースとの間の前記信号経路を制御するように構成されている
ことを特徴とする請求項１に記載のウェアラブルデバイス。
【請求項４】
前記信号経路は、電力信号経路、又はデータ信号経路の少なくとも１つを具備することを特徴とする請求項１から３のいずれか一項に記載のウェアラブルデバイス。
【請求項５】
前記ウェアラブルデバイスは、具体的には、スマートバンドであることを特徴とする請求項１から４のいずれか一項に記載のウェアラブルデバイス。
【請求項６】
前記デバイスキャリアは、具体的には、リストバンドであり、前記第１ＵＳＢインターフェースと前記第２ＵＳＢインターフェースは、前記リストバンドの２つの端部に別々に配置されることを特徴とする請求項５に記載のウェアラブルデバイス。
【請求項７】
前記第１ＵＳＢインターフェースは、具体的には、ＵＳＢ  Ａインターフェースであることを特徴とする請求項１から６のいずれか一項に記載のウェアラブルデバイス。
【請求項８】
前記第２ＵＳＢインターフェースは、具体的には、マイクロＵＳＢ  Ｂインターフェースであることを特徴とする請求項１から７のいずれか一項に記載のウェアラブルデバイス。
【発明の詳細な説明】
【技術分野】
【０００１】
本出願は、２０１５年７月１４に中国特許庁に提出され、全体が参照により本明細書に組み込まれる「ウェアラブルデバイス」と題する中国特許出願第201510412712.9号に対する優先権を主張する。
【０００２】
本発明は、電子技術の分野に関連し、特にウェアラブルデバイスに関する。
【背景技術】
【０００３】
電子技術の発展により、人々の日々の生活や仕事は、例えば携帯電話、タブレットコンピュータ、デジタルカメラ、及びモバイルパワーパックなどのポータブルモバイルデバイスにますます依存するようになっている。そのようなポータブルモバイルデバイスの電力ケーブル及びデータケーブルは、図１に示されているＵＳＢケーブルを使用する。したがって、人々は通常、必要な場合にはＵＳＢケーブルを持ち運んでいる。しかし、図１に示されるＵＳＢケーブルの可搬性は、比較的悪い。また、このような従来のＵＳＢケーブルは、長さや太さが異なるため、束ねて整頓することが困難であり、人々の移動に多くの手間をかけることになる。現在、ウェアラブルデバイスが普及し、持ち運びが容易であるが、このような特徴は、他のデバイスに便利さをもたらすことができない。
【発明の概要】
【課題を解決するための手段】
【０００４】
本発明の実施形態は、ウェアラブルデバイスとして機能しながらＵＳＢケーブル機能を実施するウェアラブルデバイスを提供する。
【０００５】
第１の態様によると、デバイスキャリア、デバイスコアユニット、第１ＵＳＢインターフェース、第２ＵＳＢインターフェース、及び信号経路選択ユニットを含んでいるウェアラブルデバイスが提供され、
前記デバイスキャリアは、前記デバイスがウェアラブルとなるように、前記デバイスコアユニット、前記第１ＵＳＢインターフェース、前記第２ＵＳＢインターフェース、及びの前記ウェアラブルデバイス信号経路選択ユニットを運ぶように構成され、
前記デバイスコアユニットは、前記ウェアラブルデバイスのコア機能を実施するように構成され、
前記第１ＵＳＢインターフェース及び前記第２ＵＳＢインターフェースは、外部デバイスに接続するように構成され、
前記信号経路選択ユニットは、接続される、前記第１ＵＳＢインターフェースと前記デバイスコアユニットとの間の信号経路、又は前記第１ＵＳＢインターフェースと前記第２ＵＳＢインターフェースとの間の信号経路を制御するように構成されている。
【０００６】
第１の態様に関連し、第１の可能な実装において、前記デバイスコアユニットは、ゲーティング制御信号を前記信号経路選択ユニットに出力するようにさらに構成されており、
前記信号経路選択ユニットは、前記デバイスコアユニットにより出力された前記ゲーティング制御信号に従って、接続される、前記第１ＵＳＢインターフェースと前記デバイスコアユニットとの間の前記信号経路、又は前記第１ＵＳＢインターフェースと前記第２ＵＳＢインターフェースとの間の前記信号経路を制御するように特に構成されている。
【０００７】
第１の態様に関連し、第２の可能な実装において、前記信号経路選択ユニットは、前記デバイスコアユニットが前記デバイスキャリアから分離されていない場合に接続される、前記第１ＵＳＢインターフェースと前記デバイスコアユニットとの間の前記信号経路を制御し、前記デバイスコアユニットが前記デバイスキャリアから分離されている場合に接続される、前記第１ＵＳＢインターフェースと前記第２ＵＳＢインターフェースとの間の前記信号経路を制御するように特に構成されている。
【０００８】
第１の態様の第２の実装に関連し、第３の可能な実装において、前記デバイスコアユニットは、前記デバイスコアユニットが前記デバイスキャリアから分離されていない場合に、インポジション指示信号を前記信号経路選択ユニットに出力するようにさらに構成され、
前記信号経路選択ユニットは、前記インポジション指示信号を受信したときに接続される前記第１ＵＳＢインターフェースと前記デバイスコアユニットとの間の前記信号経路を制御し、前記インポジション指示信号の受信に失敗したときに接続される前記第１ＵＳＢインターフェースと前記第２ＵＳＢインターフェースとの間の前記信号経路を制御するように特に構成されている。
【０００９】
第１の態様、第１の態様の第１の可能な実装、第１の態様の第２の可能な実装、又は第１の態様の第３の可能な実装に関連し、第４の実装において、前記信号経路は、電力信号経路、又はデータ信号経路の少なくとも１つを含む。
【００１０】
第１の態様、第１の態様の第１の可能な実装、第１の態様の第２の可能な実装、第１の態様の第３の可能な実装、又は第１の態様の第４の可能な実装に関連し、第５の可能な実装において、前記ウェアラブルデバイスは、具体的には、スマートバンドである。
【００１１】
第１の態様の第５の可能な実装に関連し、第６の可能な実装において、前記デバイスキャリアは、具体的には、リストバンドであり、前記第１ＵＳＢインターフェースと前記第２ＵＳＢインターフェースは、前記リストバンドの２つの端部に別々に配置される。
【００１２】
第１の態様、第１の態様の第１の可能な実装、第１の態様の第２の可能な実装、第１の態様の第３の可能な実装、第１の態様の第４の可能な実装、第１の態様の第５の可能な実装、又は第１の態様の第６の可能な実装に関連し、第７の可能な実装において、前記第１ＵＳＢインターフェースは、具体的には、ＵＳＢ  Ａインターフェースである。
【００１３】
第１の態様、第１の態様の第１の可能な実装、第１の態様の第２の可能な実装、第１の態様の第３の可能な実装、第１の態様の第４の可能な実装、第１の態様の第５の可能な実装、第１の態様の第６の可能な実装、又は第７の可能な実装に関連し、第８の可能な実装において、前記第２ＵＳＢインターフェースは、具体的には、マイクロＵＳＢ  Ｂインターフェースである。
【００１４】
第１の態様において提供されるウェアラブルデバイスによれば、前記信号経路選択ユニットが、接続される前記第１ＵＳＢインターフェースと前記第２ＵＳＢインターフェースとの間の前記信号経路を制御する場合、前記ウェアラブルデバイスは、ＵＳＢケーブル機能を実施でき、持ち運び及び使用が容易である。
【００１５】
図面が、本発明をさらに理解するために提供され、そられは、本出願の一部を構成する。図面は、本発明の実施形態とともに、本発明を説明するために使用され、本発明を限定するものではない。
【図面の簡単な説明】
【００１６】
【図１】図１は、従来のＵＳＢケーブルの概略図である。
【図２】図２は、本発明の実施形態によるウェアラブルデバイスの概略図である。
【図３】図３は、本発明の実施例１によるウェアラブルデバイスの概略図である。
【図４】図４は、本発明の実施例２によるウェアラブルデバイスの概略図である。
【図５】図５は、本発明の実施形態によるスマートバンドの概略図である。
【発明を実施するための形態】
【００１７】
ＵＳＢケーブルの可搬性を改善するための実装解決策を提供するために、本発明の実施形態は、ウェアラブルデバイスを提供する。以下では、本発明の好適な実施形態について本明細書の添付の図面を参照しながら説明する。好適な実施形態は、本発明を単に説明し、例示するために記載されており、本発明を限定するものではないことを理解すべきである。さらに、本明細書の実施形態と実施形態の特徴は、矛盾のない状態で相互に組み合わせることが可能である。
【００１８】
本発明の実施形態は、ウェアラブルデバイスを提供する。図２に示されているように、ウェアラブルデバイスは、デバイスキャリア１００、デバイスコアユニット１０１、第１ＵＳＢインターフェース１０２、第２ＵＳＢインターフェース１０３、及び信号経路選択ユニット１０４を含み得る。
【００１９】
デバイスキャリア１００は、デバイスがウェアラブルとなるように、デバイスコアユニット１０１、第１ＵＳＢインターフェース１０２、第２ＵＳＢインターフェース１０３、及びウェアラブルデバイスの信号経路選択ユニット１０４を運ぶように構成されている。
【００２０】
デバイスコアユニット１０１は、ウェアラブルデバイスのコア機能を実施するように構成されている。
【００２１】
第１ＵＳＢインターフェース１０２と第２ＵＳＢインターフェース１０３は、外部デバイスに接続するように構成されている。
【００２２】
信号経路選択ユニット１０４は、接続される、第１ＵＳＢインターフェース１０２とデバイスコアユニット１０１との間の信号経路、又は第１ＵＳＢインターフェース１０２と第２ＵＳＢインターフェース１０３との間の信号経路を制御するように構成されている。
【００２３】
すなわち、信号経路選択ユニット１０４は、接続される第１ＵＳＢインターフェース１０２とデバイスコアユニット１０１との間の信号経路を制御するか、又は接続される第１ＵＳＢインターフェース１０２と第２ＵＳＢインターフェース１０３との間の信号経路を制御する。
【００２４】
本発明のこの実施形態において提供されるウェアラブルデバイスは、スマートバンド(smart band)又はスマートカラー(smart collar)などの任意の形状のウェアラブルデバイスであってよい。これは、本発明においては特に限定されない。
【００２５】
ウェアラブルデバイス内のデバイスキャリア１００は、デバイスがウェアラブルとなるように、ウェアラブルデバイスに含まれる他の部分を運ぶ。例えば、スマートバンドの場合において、デバイスキャリア１００は、リストバンドである。
【００２６】
ウェアラブルデバイス内のデバイスコアユニット１０１は、コア機能を実施し得る。例えば、エクササイズ向けのスマートバンドの場合、デバイスコアユニット１０１は、ステップカウントや心拍数測定などの機能を実施することができる。
【００２７】
本発明のこの実施形態において、ウェアラブルデバイス内の第１ＵＳＢインターフェース１０２は、具体的には、主通信デバイス又はパワーデバイス、例えばコンピュータ又は充電器、などの外部デバイスに接続するように構成されている。したがって、第１ＵＳＢインターフェース１０２は、ＵＳＢ  Ａインターフェースであり得、具体的には、ＵＳＢ  Ａインターフェースのオスコネクタである。
【００２８】
本発明のこの実施形態において、ウェアラブルデバイス内の第２ＵＳＢインターフェース１０３は、具体的には、ポータブルモバイルデバイス、例えば、携帯電話、タブレットコンピュータ、又はデジタルカメラなどの外部デバイスに接続するように構成されている。したがって、第２ＵＳＢインターフェース１０３は、マイクロＵＳＢ  Ｂインターフェースであり得、具体的には、マイクロＵＳＢ  Ｂインターフェースのオスコネクタである。当然、第２ＵＳＢインターフェース１０３は、ＵＳＢ  タイプＣインターフェースなどの別のポータブルモバイルデバイスインターフェースであってもよい。これは、本発明においては限定されない。
【００２９】
明らかに、第１ＵＳＢインターフェース１０２とデバイスコアユニット１０１との間の信号経路が接続されている場合、第１ＵＳＢインターフェース１０２は、ウェアラブルデバイスの充電インターフェース又は通信インターフェースである。第１ＵＳＢインターフェース１０２と第２ＵＳＢインターフェース１０３との間の信号経路が接続されると、第１ＵＳＢインターフェース１０２に接続されている外部デバイスと、第２ＵＳＢインターフェース１０３に接続されている外部デバイスとの間の信号経路が接続され、第２ＵＳＢインターフェース１０３に接続されている外部デバイスの充電要件又は通信要件を満たす。すなわち、この場合、ウェアラブルデバイスは、電力ケーブル又は別のデバイスのデータケーブルとして使用され得、これにより、ＵＳＢケーブル機能を達成する。
【００３０】
本発明の具体的な実施形態において、デバイスコアユニット１０１は、ゲーティング制御信号を信号経路選択ユニット１０４に出力する。ゲーティング制御信号は、信号経路選択ユニット１０４に、接続される信号経路を選択するように指示するために使用される。
【００３１】
信号経路選択ユニット１０４は、具体的には、デバイスコアユニット１０１により出力されたゲーティング制御信号に従って、接続される、第１ＵＳＢインターフェース１０２とデバイスコアユニット１０１との間の信号経路、又は第１ＵＳＢインターフェース１０２と第２ＵＳＢインターフェース１０３との間の信号経路を制御し得る。
【００３２】
実際の実装において、デバイスコアユニット１０１は、ボタン、メカニカルスイッチ、システムソフトウェアなどによりトリガされる場合、ゲーティング制御信号を出力してもよい。
【００３３】
本発明の別の具体的な実施形態において、ウェアラブルデバイス内のデバイスキャリア１００からデバイスコアユニット１０１を分離することができる場合には、信号経路選択ユニット１０４は、デバイスコアユニット１０１がインポジションであるかどうかに従って、すなわち、デバイスコアユニット１０１がデバイスキャリア１００から分離されているかどうかに従って、接続される信号経路を決定し得る。
【００３４】
好適には、ウェアラブルデバイスの充電要件又は通信要件を満たすために、第１ＵＳＢインターフェース１０２とデバイスコアユニット１０１との間の信号経路の接続優先順位は、第１ＵＳＢインターフェース１０２と第２ＵＳＢインターフェース１０３との間の信号経路の接続優先順位よりも高い。
【００３５】
すなわち、信号経路選択ユニット１０４は、具体的には、デバイスコアユニット１０１がインポジションである場合、すなわち、デバイスコアユニット１０１がデバイスキャリア１００から分離されていない場合、接続される第１ＵＳＢインターフェース１０２とデバイスコアユニット１０１との間の信号経路を制御し、デバイスコアユニット１０１がインポジションでない場合、すなわち、デバイスコアユニット１０１がデバイスキャリア１００から分離されている場合、接続される第１ＵＳＢインターフェース１０２と第２ＵＳＢインターフェース１０３との間の信号経路を制御するように構成されている。
【００３６】
実際の実装では、信号経路選択ユニット１０４は、デバイスコアユニット１０１がインポジションであるかどうかを判定するために複数の方法を使用することができる。例えば、デバイスコアユニット１０１は、インポジションにある場合に、インポジション指示信号を信号経路選択ユニット１０４に出力してもよい。インポジション指示信号を受信すると、信号経路選択ユニット１０４は、デバイスコアユニット１０１がインポジションであると判定し、接続される第１ＵＳＢインターフェース１０２とデバイスコアユニット１０１との間の信号経路を制御する。インポジション指示信号を受信しなかった場合には、信号経路選択ユニット１０４は、デバイスコアユニット１０１はインポジションではないと判定し、接続される第１ＵＳＢインターフェース１０２と第２ＵＳＢインターフェース１０３との間の信号経路を制御する。
【００３７】
信号経路は、両方ともＵＳＢ信号経路であり、電力信号経路又はデータ信号経路の少なくとも１つを含み得る。すなわち、信号経路は、電力信号経路のみを含むことができ、この場合、本発明のこの実施形態において提供されるウェアラブルデバイスは、ＵＳＢ電力ケーブル機能を実施し得る。あるいは、信号経路は、データ信号経路のみを含んでいてもよく、この場合には、本発明のこの実施形態において提供されるウェアラブルデバイスは、ＵＳＢデータケーブル機能を実施し得る。あるいは、信号経路は、電力信号経路と信号経路の両方を含んでもよく、この場合には、本発明のこの実施形態において提供されるウェアラブルデバイスは、ＵＳＢ電力ケーブル機能と、ＵＳＢデータケーブル機能の両方を実施し得る。
【００３８】
以下では、本発明の実施形態において提供されるウェアラブルデバイスの実装回路について、具体的な実施形態を使用して、添付の図面を参照しながら説明する。
【００３９】
［実施例１］
本発明の実施例１において提供されるウェアラブルデバイスの具体的な実装回路か図３に示されている。ウェアラブルデバイスにおいて、デバイスコアユニット１０１は、デバイスキャリア１００から分離され得る。デバイスコアユニット１０１のＳＥＬピンは、デバイスコアユニット１０１がインポジションである場合には、ローレベルの信号を出力し、デバイスコアユニット１０１がインポジションではない場合には、ＳＥＬピンは、ハイレベルの信号を出力する。すなわち、インポジション指示信号は、ローレベルの信号である。
【００４０】
信号経路選択ユニット１０４は、デバイスコアユニット１０１のＳＥＬピンの出力信号に従って、接続すべき電力信号経路、又はデータ信号経路を制御する。
【００４１】
具体的には、信号経路選択ユニット１０４は、図３に示されているチップＵ１及びチップＵ２を使用して実装されている。
【００４２】
チップＵ１は、高速ＵＳＢスイッチであり、デバイスコアユニット１０１のＳＥＬピンの出力信号がローレベルの信号である場合に、接続される第１ＵＳＢインターフェース１０２とデバイスコアユニット１０１との間のデータ信号経路を制御し、デバイスコアユニット１０１のＳＥＬピンの出力信号がハイレベルの信号である場合に、第１ＵＳＢインターフェース１０２と第２ＵＳＢインターフェース１０３との間のデータ信号経路を制御するように構成されている。
【００４３】
チップＵ２は、経路内部抵抗を最小にする単極双投スイッチであり、デバイスコアユニット１０１のＳＥＬピンの出力信号がローレベルの信号である場合に、接続される第１ＵＳＢインターフェース１０２とデバイスコアユニット１０１との間の電力信号経路を制御し、デバイスコアユニット１０１のＳＥＬピンの出力信号がハイレベルの信号である場合に、接続される電力第１ＵＳＢインターフェース１０２と第２ＵＳＢインターフェース１０３との間の信号経路を制御するように構成されている。
【００４４】
［実施例２］
本発明の実施例２において提供されるウェアラブルデバイスにおける部品の具体的な実装回路が図４に示されている。ウェアラブルデバイスにおいて、デバイスコアユニット１０１は、デバイスキャリア１００から分離されることができる。デバイスコアユニット１０１のＳＥＬピンは、デバイスコアユニット１０１がインポジションである場合には、ローレベルの信号を出力し、デバイスコアユニット１０１がインポジションでない場合には、ＳＥＬピンは、ハイレベルの信号を出力する。すなわち、インポジション指示信号は、ローレベルの信号である。
【００４５】
第１ＵＳＢインターフェース１０２とデバイスコアユニット１０１の間の電力信号経路と、第１ＵＳＢインターフェース１０２と第２ＵＳＢインターフェース１０３との間の電力信号経路は、両方とも接続されている。信号経路選択ユニット１０４は、デバイスコアユニット１０１のＳＥＬピンの出力信号に従って、データ信号経路が接続されるかどうかを制御する。
【００４６】
この場合、信号経路選択ユニット１０４は、高速ＵＳＢスイッチを１つだけ使用して実装する必要がある。制御ロジックは、前述した実施形態と同様であり、詳細はここでは説明しない。
【００４７】
実施例１と実施例２は、単なる２つの例にすぎず、本発明の実施形態において提供されるウェアラブルデバイスの具体的な実装回路を限定するものではないことに留意すべきである。
【００４８】
本発明の実施形態において提供されるウェアラブルデバイスが、具体的には、図５に示すようにスマートバンドである場合には、この場合、デバイスキャリア１００は、具体的には、リストバンドであり、ＵＳＢ信号ケーブルは、リストバンド内に、ＦＰＣ(Flexible Printed Circuit, フレキシブルプリント回路)の形状で隠されていてもよく、第１ＵＳＢインターフェース１０２と第２ＵＳＢインターフェース１０３は、リストバンドの２つの端部に別々に配置され得る。
【００４９】
当然、本発明の実施形態において提供されるウェアラブルデバイスは、スマートカラーなどの別のウェアラブルデバイスであってよいが、ここでは図示されていない。
【００５０】
以上のことから、ＵＳＢケーブル機能は、本発明の実施形態において提供されるウェアラブルデバイスに隠されており、持ち運びや使用が容易になる。これは、弱い可搬性、空間占有率、及び整頓の難しさなどの既存のＵＳＢケーブルの問題点を回避し、ユーザ体験を改善し得る。
【００５１】
本発明の実施形態のいくつかの好適な実施形態が説明されたが、当業者は、その基本的な発明概念を学ぶと、これらの実施形態を変更及び修正することができる。したがって、添付の特許請求の範囲は、好適な実施形態をカバーし、すべての変更及び修正が本発明の範囲内に含まれると解釈されることが意図される。
【００５２】
明らかに、当業者は、本発明の実施形態の精神および範囲から逸脱することなく、本発明の実施形態に対して様々な修正及び変形を行うことができる。本発明は、添付の特許請求の範囲及びそれらと均等な技術によって規定される保護範囲内にあるこれらの修正及び変形をカバーすることが意図される。
【符号の説明】
【００５３】
１０１  デバイスコアユニット
１０２  第１ＵＳＢインターフェース
１０３  第２ＵＳＢインターフェース
１０４  信号経路選択ユニット
【図１】
0006484353.tif 000002
【図２】
0006484353.tif 000003
【図３】
0006484353.tif 000004
【図４】
0006484353.tif 000005
【図５】
0006484353.tif 000006